(57)【要約】【課題】  外観良好で、顧客の注目を引くことのできる包装用ケースを提供する。【解決手段】  互いに対向する一対のシート壁１０ａ，１０ｂの上端Ｅｕ同士及び両側端Ｅｓ，Ｅｓ同士が接続され直線状の稜線が形成されていると共に、シート壁１０ａ，１０ｂが上端側ほど先細りに形成され下端側ほど互いに離間して下端同士が底片１１を介して接続され、一対のシート壁１０ａ，１０ｂ間に包装対象物Ｐ１，Ｐ２が収容されるように構成されている包装用ケース１において、包装対象物Ｐ２は、一対のシート壁１０ａ，１０ｂの間隔よりも大きな大径部分Ｌｐを有し、包装対象物Ｐ２の大径部分Ｌｐより一対のシート壁１０ａ，１０ｂの間隔が狭くなっている領域に収容される包装対象物Ｐ２の大径部分Ｌｐの配置に対応して開口１００が設けられ、この開口１００に包装対象物Ｐ２の大径部分Ｌｐが入り込むことを特徴とする。【選択図】図６
2008189390.tif 000002
【特許請求の範囲】
【請求項１】
互いに対向する一対のシート壁の上端同士及び両側端同士が接続され直線状の稜線が形成されていると共に、前記シート壁が上端側ほど先細りに形成され下端側ほど互いに離間して下端同士が底片を介して接続され、一対のシート壁間に包装対象物が収容されるように構成されている包装用ケースであって、
前記包装対象物は、少なくとも一部に一対のシート壁の間隔よりも大きな大径部分を有し、前記一対のシート壁の少なくとも何れか一方に、包装対象物の大径部分より一対のシート壁の間隔が狭くなっている領域に収容される包装対象物の大径部分の配置に対応して開口が設けられ、該開口に包装対象物の大径部分が入り込むことを特徴とする包装用ケース。
【請求項２】
前記開口は、包装対象物の大径部分の形状に即して形成されている請求項１記載の包装用ケース。
【請求項３】
前記開口を一又は複数のスリットに代えて構成した請求項１又は２記載の包装用ケース。
【請求項４】
前記シート壁は透明な樹脂シートからなり、該シート壁を通して包装対象物が外部から視認可能に構成されている請求項１乃至３のいずれかに記載の包装用ケース。
【請求項５】
大径部分を有する包装対象物を少なくとも一つ以上含んで二つ以上の包装対象物を収容可能に構成されている請求項１乃至４のいずれかに記載の包装用ケース。
【発明の詳細な説明】
【技術分野】
【０００１】
本発明は、包装対象物（各種商品）を収容する包装用ケースに関する。
【背景技術】
【０００２】
各種商品の陳列形態として、商品に付加価値を与えるべく、商品を箱状の包装用ケースに入れて陳列される場合がある。該包装用ケースは、上述の如く、商品に付加価値を与えるためのものであるが、箱状に形成されることで上下方向の何れの箇所においても幅が略同一で、天面を有することから単調で且つ一般的な形態であるため、顧客の注目を高めるべく、斬新な印刷等を施されるのが一般的である。
【発明の開示】
【発明が解決しようとする課題】
【０００３】
しかしながら、上述の如く、上記箱状の包装用ケースは、形態が単調であるためスッキリした感じがない上に、一般的な形態であるため形態による顧客の注目度が低い。また、該包装用ケース自体の注目度が低いため、顧客を注目させるのに斬新な印刷に頼るしかないが、印刷のデザインによって顧客の注目度が異なるといった問題がある。そのため、顧客の注目を印刷に頼ることのない、或いは印刷による注目に加え、包装用ケース自体に顧客の注目を引く顧客吸引力を持たせたいとの要請もある。
【０００４】
そこで、本発明は、斯かる実情に鑑み、外観良好で、顧客の注目を引くことのできる包装用ケースを提供することを課題とする。
【課題を解決するための手段】
【０００５】
本発明に係る包装用ケースは、互いに対向する一対のシート壁の上端同士及び両側端同士が接続され直線状の稜線が形成されていると共に、前記シート壁が上端側ほど先細りに形成され下端側ほど互いに離間して下端同士が底片を介して接続され、一対のシート壁間に包装対象物が収容されるように構成され、前記包装対象物は、少なくとも一部に一対のシート壁の間隔よりも大きな大径部分を有し、前記一対のシート壁の少なくとも何れか一方に、包装対象物の大径部分より一対のシート壁の間隔が狭くなっている領域に収容される包装対象物の大径部分の配置に対応して開口（又はスリット）が設けられ、該開口（又はスリット）に包装対象物の大径部分が入り込むことを特徴とする。
【０００６】
かかる包装用ケースによれば、対向する一対のシート壁が上端側ほど先細りに形成されると共に、シート壁の上端同士、両側端同士が接続され、包装用ケースの上端及び両側端に直線状の稜線が形成された形態となり、従来の箱形の包装用ケースのような単調な形態とならない上に、非常に見栄えのよい（スッキリとした感じ）ものとなる。これにより、当該包装用ケースの形態で顧客の注目を引くことができる。
【０００７】
包装用ケースにシート壁間の間隔よりも大きな大径部分を有する包装対象物を収容すると、一対のシート壁が押し広げられ、上端やその近傍が歪に変形してスッキリした感じを維持することができない場合があるが、一対のシート壁の少なくとも何れか一方に、包装対象物の大径部分より一対のシート壁の間隔が狭くなっている領域に収容される包装対象物の大径部分の配置に対応して開口（又はスリット）が設けられ、該開口（又はスリット）に包装対象物の大径部分が入り込むことで、シート壁全体が無理に押し広げられるのを防止することができる。即ち、一対のシート壁間に、少なくとも一部に一対のシート壁の間隔よりも大きな大径部分を有した包装対象物が収容された場合、開口（又はスリット）に包装対象物の大径部分が入り込むことになる。これにより、包装対象物の当接によるシート壁に対する押し広げ作用がシート壁（包装用ケース）の上端及びその近傍に作用することがなく、上端やその近傍が歪に変形することがなくなり当該包装用ケース（一対のシート壁）における上端の直線性を担保することができ、包装用ケースの上端（及び両側端）における直線状の稜線で非常に見栄えのよい状態（スッキリとした感じ）を維持させることができる。
【０００８】
この場合、前記開口（又はスリット）は、包装対象物の大径部分の形状に即して形成されることが好ましい。このようにすれば、必要以上に開口（又はスリット）が大きく形成されることがなく非常にシンプルで見栄えのよいものにすることができる。その上、収容される包装対象物の大径部分の形状に即して開口（又はスリット）が形成されることで、例えば、シート壁が透明な樹脂シート等から形成されて包装対象物が外部から視認可能な場合であっても、包装対象物と包装用ケースとを美的に一体感を持たせることができる。
【０００９】
また、大径部分を有する包装対象物を少なくとも一つ以上含んで二つ以上の包装対象物を収容可能に構成すれば、包装対象物を二つ以上収容できる上に、包装用ケースの上端（及び両側端）における直線状の稜線で見栄えの良い状態を維持することができる。従って、複数の包装対象物（商品）を一セットにして販売する場合や、試供品として提供する場合に最適な包装用ケースとなる。
【００１０】
包装用ケースは、前記シート壁が透明な樹脂シートからなり、該シート壁を通して包装対象物が外部から視認可能に構成することができる。また、前記スリットは収容される包装対象物の大径部分の配置に対応して一又は複数のスリットで構成することができる。
【発明の効果】
【００１１】
以上のように、本発明の包装用ケースによれば、包装用ケースにシート壁間の間隔よりも大きな大径部分を有する包装対象物を収容しても、包装用ケースの上端（及び両側端）における直線状の稜線により外観良好で、顧客の注目を引くことができるという優れた効果を奏し得る。
【発明を実施するための最良の形態】
【００１２】
以下、本発明の一実施形態に係る包装用ケースについて、添付図面を参照しつつ説明する。
【００１３】
本実施形態に係る包装用ケースは、洗剤や化粧品をはじめとする種々の商品（包装対象物）を包装するものであるが、本実施形態に係る包装用ケースに対する包装対象物として、図１（イ）及び図１（ロ）に示す如く、チューブ入りの商品（蓋が取り付けられた基端側が大径で先端側が先細りした形状の容器（チューブ）に入れられた商品：以下、第一商品Ｐ１という。）Ｐ１、及びボトル入りの商品（本実施形態においては、断面略楕円形をなし、軸線方向に断面形状が略均一な容器（ボトル）に入れられた商品（以下、第二商品Ｐ２という。）Ｐ２が採用されている。なお、本実施形態において、第二商品（ボトル）Ｐ２は、正面視における上端縁が円弧状をなし、第一商品Ｐ１は、下部（チューブの基部及び該基部に取り付けられた蓋）が第二商品（ボトル）Ｐ２の最大径（正面から見た径）よりも大径になっている。
【００１４】
本実施形態に係る包装用ケース１は、互いに対向して上端Ｅｕ同士及び両側端Ｅｓ同士が接続された一対のシート壁１０ａ，１０ｂと、該一対のシート壁１０ａ，１０ｂの下端同士を接続する底片１１とを備えている。これにより、該包装用ケース１は、正面視において上端Ｅｕが真っ直ぐ直線状に形成され、前記底片１１の介在によって一対のシート壁１０ａ，１０ｂの下端側が互いに離間した態様、即ち、上端Ｅｕ側ほど先細りに形成された態様をなしている。
【００１５】
当該包装用ケース１は、樹脂シート（後述する原シート）を折り曲げ加工して形成されており、前記一対のシート壁１０ａ，１０ｂは、それぞれ平面視において略矩形状に形成され、上端Ｅｕ及び両側端Ｅｓのそれぞれの接続部分に折り曲げ稜線が形成されている。具体的には、一方のシート壁１０ａの両側端Ｅｓに延設された貼着片１２が、シート壁１０ａとの境界で折り曲げられ、接着剤や両面粘着テープ等を介して他方のシート壁１０ｂの側端部に貼着されることで、当該包装用ケース１の上端Ｅｕ及び両側端Ｅｓにシート壁１０ａ，１０ｂ同士を接続する直線状の稜線が形成されている。
【００１６】
ところで、上述の如く、包装対象物である第二商品Ｐ２は、軸心方向において断面形状が一定であることから、上部Ｌｐが一対のシート壁１０ａ，１０ｂ間の間隔よりも大きくなっている（以下、この部分を大径部分という。）。即ち、当該包装用ケース１は、先端側ほど先細りしているため、シート壁１０ａ，１０ｂ間の間隔が上端Ｅｕ側ほど狭くなる一方で、第二商品Ｐ２は、断面が略均一であるため、第二商品Ｐ２の配置領域内（包装用ケース１の上端Ｅｕ側）において、第二商品Ｐ２の大径部分Ｌｐの外径よりもシート壁１０ａ，１０ｂの間隔が狭くなっている。
【００１７】
そのため、本実施形態に係る包装用ケース１は、第二商品Ｐ２を収容した状態で上端Ｅｕ側が歪に変形するのを防止すべく、一方のシート壁１０ａには、第二商品Ｐ２の大径部分Ｌｐと対向する領域を上端Ｅｕ側から取り囲むように切込部１３が設けられ、該切込部１３を境にして、該切込部１３で包囲される領域に舌片１４が形成されている。
【００１８】
前記切込部１３は、線状に形成されており、両端が、第二商品Ｐ２の大径部分Ｌｐの外径と、シート壁１０ａ，１０ｂ間の間隔とが略一致するところ、又は、シート壁１０ａ，１０ｂ間の間隔が第二商品Ｐ２の大径部分Ｌｐの外径よりも広いところに位置するように形成されている。なお、本実施形態においては、第二商品Ｐ２が断面長手方向と包装用ケース１の幅方向とを一致させるように収容されるため、各図には、切込部１３の両端が、第二商品Ｐ２の大径部分Ｌｐの外径（断面短手方向の径）とシート壁１０ａ，１０ｂ間の間隔とが略一致するところに位置するように切込部１３を形成している。
【００１９】
このようにすることで、本実施形態に係る包装用ケース１は、収容する第二商品Ｐ２がシート壁１０ａ，１０ｂの間隔よりも大きな大径部分Ｌｐ（本実施形態においてはボトルの上部）を一部に有していても、舌片１４のみが外方に向けて押されることになり、舌片１４以外のシート壁１０ａが押し広げられることがないようになっている。即ち、本実施形態に係る包装用ケース１は、切込部１３を設けて舌片１４を形成することで、大径部分Ｌｐを有する包装対象物Ｐ２を収容しても、上端Ｅｕ及びその近傍をはじめとする舌片１４（切込部１３）周辺に不均一な引っ張り作用を生じず、当該包装用ケース１は、上端Ｅｕの直線性を担保できるようになっている。
【００２０】
本実施形態において、上述の如く、第一商品Ｐ１及び第二商品Ｐ２の二つ収容するように構成されているが、第二商品Ｐ２のみがシート壁１０ａ，１０ｂ間の間隔に対する大径部分Ｌｐを有するため、前記切込部１３（舌片１４）は、収容状態における第二商品Ｐ２の大径部分Ｌｐ（ボトルの上部）の配置に対応して形成されている。さらに、本実施形態に係る第二商品Ｐ２は、大径部分（上部）Ｌｐの形状（正面視における上端縁）が円弧状に形成されているので、切込部１３は第二商品Ｐ２の上部の形状（正面形状）に即して円弧状に形成されている。これにより、第二商品Ｐ２の大径部分Ｌｐが舌片１４を外側に押した状態で、第二商品Ｐ２の大径部分Ｌｐが舌片１４の存在していた領域に嵌り込んだ態様となり、舌片１４の周辺部分（切込部１３で形成された端縁）で上下方向の移動が規制されることになる。
【００２１】
他方のシート壁１０ｂは、下端部に後述する差込部１７ｂを差し込むための切込み（以下、差込用切込部という。）１５が設けられている。差込用切込部１５は、包装用ケース１（シート壁１０ａ，１０ｂ）の幅方向（側端Ｅｓ，Ｅｓ間）に二つ並列に設けられており、各側端Ｅｓに向けて凸をなす矩形状の片を形成するように、それぞれコの字状に形成されている。二つの差込用切込部１５は、シート壁１０ｂの幅方向の中央に上下方向に延びる中心線（図示しない）を基準にして鏡像状態で形成されている。
【００２２】
前記底片１１は、一方のシート壁１０ａの下端に延設されており、当該シート壁１０ａとの境界で他方のシート壁１０ｂに向けて折り曲げられている。そして、該底片１１の先端には、当該先端に沿って折曲片１６が延設され、該折曲片１６の先端には、底片１１を他方のシート壁１０ｂに固定するための固定片１７が延設されている。前記折曲片１６は、底片１１の先端に沿って帯状に形成され、固定片１７は、折曲片１６の先端から延出した延出部１７ａと、該延出部１７ａの先端部を残して両側に延設された二つの差込部１７ｂとで構成されている。これにより、固定片１７は、延出部１７ａと差込部１７ｂとにより略十字状に形成され、延出部１７ａの先端部分で底片１１を開封する際の把持部として機能させるようになっている。
【００２３】
前記底片１１は、上述の如く、他方のシート壁１０ｂに向けて折り曲げられた状態で、折曲片１６が他方のシート壁１０ｂの下端部を外側から覆うように（底片１１とシート壁との間の隙間を覆うように）折り曲げられ、その先端に延設された固定片１７（差込部１７ｂ）を他方のシート壁１０ｂの下端部に設けられた差込用切込部１５に差し込むことで他方のシート壁１０ｂに固定、即ち、一対のシート壁１０ａ，１０ｂの下端同士を接続できるようになっている。これにより、本実施形態においては、底片１１が開閉可能になっており、包装用ケース１の下端側から包装対象物（第一商品Ｐ１及び第二商品Ｐ２）を収容できるようになっている。
【００２４】
上述の如く、本実施形態においては、第一商品Ｐ１の蓋が第二商品Ｐ２の外径よりも大径であるため、第一商品Ｐ１及び第二商品Ｐ２を横並びに収納できるように、前記底片１１は、シート壁１０ａ，１０ｂの一側端Ｅｓ側が他側端Ｅｓ側に比して幅広に形成されている。即ち、底片１１は、包装対象物Ｐ１，Ｐ２を収容した状態で、外径の異なる第一商品Ｐ１と第二商品Ｐとを横並びにして載置できるように略扇状に形成されている。
【００２５】
本実施形態に係る包装用ケース１は、以上の構成からなり、次に、上記構成の包装用ケース１を作製するための原シートについて説明する。
【００２６】
前記原シートは、図２に示す如く、ポリエチレンテレフタレート等のポリエステル、ポリ塩化ビニル、ポリプロピレン、ポリスチレン等の合成樹脂から硬質、又は半硬質に形成されたシート材を裁断して形成されており、肉厚が０．１乃至０．８ｍｍのものが採用されている。また、該原シートＳには、適宜印刷が施されており、特に、舌片１４となる領域（切込みによって取り囲まれた領域）には、原シートＳから包装用ケース１を作製した時に、舌片１４がポップラベル（起立状態で貼着されるラベル）の如く機能するように、ポイント的な印刷が施されている。
【００２７】
該原シートＳは、前記一対のシート壁１０ａ，１０ｂを形成するための一対のシート壁形成領域５０ａ，５０ｂと、底片１１を形成するための底片形成領域５１と、貼着片１２を形成するための貼着片形成領域５２と、折曲片１６を形成する折曲片形成領域５３と、固定片１７を形成する固定片形成領域５４とで構成されている。
【００２８】
前記一対のシート壁形成領域５０ａ，５０ｂは、それぞれ矩形状をなし、シート壁１０ａ，１０ｂ（包装用ケース１）の上端Ｅｕとなる一端同士が接続され、シート壁形成領域５０ａ，５０ｂ同士の境界上には折曲罫線（以下、第一罫線という）Ｌ１が設けられている。なお、第一罫線Ｌ１、及び後述する折曲罫線（第二乃至第四罫線Ｌ２，Ｌ３，Ｌ４）には、ミシン目や、局部的に肉厚を薄くするように形成された線状の溝等で構成することができる。
【００２９】
一方のシート壁１０ａとなるシート壁形成領域５０ａには、前記切込部１３となる切込みが一端側に入れられて舌片１４が形成され、他方のシート壁１０ｂとなるシート壁形成領域５０ｂには、差込用切込部１５となる一対の切込みが他端側に設けられている。
【００３０】
底片形成領域５１は、直線状をなす基端が一方のシート壁形成領域５０ａの他端に接続され、該シート壁形成領域５０ａとの境界には、折曲罫線（以下、第二罫線という。）Ｌ２が設けられている。該底片形成領域５１は、直線状をなす先端が包装用ケース１の幅方向において基端に対し、一側端側が他側端側よりも離間しており、一側端側ほど幅広に形成されている。そして、包装用ケース１における幅方向の位置する各端縁（基端の始点と先端の始点とを結ぶ端縁、及び基端の終点と先端の終点とを結ぶ端縁）は、それぞれ外側に凸をなす円弧状に形成されている。
【００３１】
前記貼着片形成領域５２は、一方のシート壁形成領域５０ａの両側端に沿って帯状に形成され、シート壁形成領域５０ａとの境界には折曲罫線（以下、第三罫線という。）Ｌ３が設けられている。このように一方のシート壁１０ａとなるシート壁形成領域５０ａの側端に貼着片形成領域５２を延設することで、貼着片形成領域５２が第三罫線Ｌ３で他方のシート壁形成領域５０ｂ側に折り曲げられた状態で、陳列時における包装用ケース１の前面（一方のシート壁１０ａ）側に貼着片１２が露呈しないようにしている。
【００３２】
前記折曲片形成領域５３は、底片形成領域５１の先端に接続されて帯状に形成されており、底片形成領域５１との境界に、折曲罫線（以下、第四罫線という。）Ｌ４が形成されている。
【００３３】
前記固定片形成領域５４は、折曲片形成領域５３の先端（底片形成領域５１に接続された端縁とは反対側の端縁）に接続さており、前記延出部１７ａとなる延出部形成領域５４ａと、差込部１７ｂとなる差込部形成領域５４ｂとで構成されている。延出部形成領域５４ａは、突片状に形成され、差込部形成領域５４ｂは、延出部形成領域５４ａの先端部分を残して延出方向の略中央部分の両側に延設されている。これにより、固定片形成領域５４が固定片１７として機能するに際し、延出部形成領域５４ａの先端部分が把持部として機能するように形成されている。
【００３４】
原シートＳは、以上の構成からなり、該原シートＳを用いて上記構成の包装用ケース１を作製するには、図３（イ）に示す如く、まず、一対のシート壁形成領域５０ａ，５０ｂを第一罫線Ｌ１で折り返す。そして、図３（ロ）に示す如く、各貼着片形成領域５２を第三罫線Ｌ３で他方のシート壁形成領域５０ｂ側に折り返し、各貼着片形成領域５２を接着剤或いは両面粘着テープ等によって他方のシート壁形成領域５０ｂの外面（側端部）に貼着する。
【００３５】
この状態で、一対のシート壁形成領域５０ａ，５０ｂのそれぞれは、上端Ｅｕ及び両側端Ｅｓ同士が接続された一対のシート壁１０ａ，１０ｂとなり、シート壁１０ａ，１０ｂ同士が接続される端縁によって真っ直ぐな稜線（折曲稜線）が形成されることになる。そして、図３（ハ）に示す如く、一対のシート壁１０ａ，１０ｂの下端側（包装用ケース１の下端開口）から、第一商品Ｐ１及び第二商品Ｐ２（包装対象物）を挿入する。本実施形態においては、底片１１（底片形成領域５１）が包装用ケース１の一側端Ｅｓ側ほど幅広に形成されているので、下部が第二商品Ｐ２よりも大径をなす第一商品Ｐ１をシート壁１０ａの一側端Ｅｓ側に収容し、第二商品Ｐ２をシート壁１０ｂの他側端Ｅｓ側に収容する。なお、第一商品Ｐ１はチューブが先細りしているので、包装用ケース１に挿入するに際し、チューブ側から挿入、即ち、蓋がシート壁１０ａ，１０ｂの下端側に位置するように挿入する。
【００３６】
そして、第二商品Ｐ２を第一商品Ｐ１に対して横並びに挿入すると、上述の如く、第二商品Ｐ２（ボトル）の上部がシート壁１０ａ，１０ｂの間隔に対して大径部分Ｌｐとなっているので、シート壁１０ａ，１０ｂ間に挿入するに伴って（包装用ケース１の上端Ｅｕ側）で第二商品Ｐ２の大径部分Ｌｐがシート壁１０ａ，１０ｂと接触することになるが、上述の如く、一方のシート壁１０ａ（シート壁形成領域５０ａ）の第二商品Ｐ２の上部Ｌｐと対向する領域に舌片１４が形成されているので、図４に示す如く、第二商品Ｐ２の大径部分Ｌｐが舌片１４を外側に押して徐々に起き上がらせ、最終的に舌片１４がポップラベルの如く態様となる。
【００３７】
そして、切込部１３が収容状態における第二商品Ｐ２の上部Ｌｐ（大径部分Ｌｐ）の配置に対応し、且つ該上部Ｌｐの正面形状に即して円弧状に形成されているので、第二商品Ｐ２が完全に収容された状態（底片１１を閉じて第二商品Ｐ２の底が底片１１に支えられる状態）で、第二商品Ｐ２の上端面が切込部１３によって形成された端縁に当接した状態になる。（即ち、ボトルの大径部分Ｌｐが舌片１４の存在していた領域に嵌め込まれた態様となる。この状態において、舌片１４が第二商品Ｐ２によって外側に押されているので、舌片１４以外の部分（一対のシート壁１０ａ，１０ｂ同士の接続部分（包装用ケース１の上端Ｅｕ）及びその周辺）に、不均一な引っ張り作用などが生じず、上端Ｅｕが真っ直ぐな状態で維持されることになる。
【００３８】
そして、第二罫線Ｌ２で底片形成領域５１（底片１１）を他方のシート壁１０ｂ（シート壁形成領域５０ｂ）側に折り曲げると共に、第四罫線Ｌ４で折曲片形成領域５３（折曲片１６）を他方のシート壁１０ｂの下端を覆うように折り曲げる。そして、図１（ロ）に示す如く、固定片形成領域５４（固定片１７）の差込部形成領域（差込部１７ｂ）を他方のシート壁１０ｂに形成された差込用切込部１５に差し込むことで、第一商品及び第二商品（包装対象物）Ｐ１，Ｐ２を収容した包装用ケース１が完成する。なお、第一商品及び第二商品（包装対象物）Ｐ１，Ｐ２を取り出す場合は、固定片１７における延出部１７ａの先端部分（把持部）を把持し、当該部分を他方のシート壁１０ｂから離間させることで、差込部１７ｂが差込用切込部１５から抜けて底片１１を開ける（包装用ケース１の下端開口を解放する）ことができる。
【００３９】
以上のように、本実施形態に係る包装用ケース１は、シート壁１０ａ，１０ｂの上端Ｅｕ、及び両側端Ｅｓ，Ｅｓを接続し、底片１１側ほどシート壁１０ａ，１０ｂが離間するような形態としたので、上端Ｅｕ及び両側端Ｅｓ，Ｅｓに稜線が形成されたスッキリした外観とすることができ、該包装用ケース１自体の形態で顧客の注目を引くことができる。
【００４０】
また、本実施形態に係る包装用ケース１は、切込部１３を設けて舌片１４を形成するようにしたので、包装対象物（第二商品Ｐ２）の当接によるシート壁１０ａ，１０ｂに対する押し広げ作用が上端Ｅｕ及びその近傍に作用することがなく、当該包装用ケース１（一対のシート壁１０ａ，１０ｂ）における上端Ｅｕの直線性を担保することができ、非常に見栄えのよい状態（スッキリとした感じ）で維持させることができる。
【００４１】
その上、舌片１４が周囲部分よりも起き上がるため、ポップラベルの如き態様にすることができる。従って、舌片１４に包装対象物（第一商品Ｐ１及び第二商品Ｐ２の少なくとも何れか一方）に関する情報等を印刷したり、シール等を貼着したりすることで、シート壁の上端Ｅｕの直線性による見栄えの良さに加え、ラベル効果を付加して顧客吸引力が増すといった効果を兼ね備えることができる。
【００４２】
また、前記切込部１３が、包装対象物（第二商品）Ｐ２の大径部分（上部）Ｌｐの形状に即して形成されているので、舌片１４が必要以上に大きく形成されることがなく非常にシンプルで見栄えのよいものにすることができる。さらに、舌片１４が第二商品Ｐ２の上部Ｌｐの形状に即して形成されるため、シート壁に透明な領域を形成して内部が外部から視認可能であっても、包装対象物Ｐ１，Ｐ２（第二商品Ｐ２）と包装用ケース１とを美的に一体感を持たせることができる。さらに、第二商品Ｐ２の上部が舌片１４の存在していた領域に嵌り込むため、切込部１３によって形成された端縁によって、包装対象物Ｐ２（第二商品Ｐ２）の移動を規制することもできる。
【００４３】
また、第一商品Ｐ１及び第二商品Ｐ２（二つの包装対象物）を収容できるように構成し、収容状態での第二商品Ｐ２（ボトル）の大径部分Ｌｐの配置に対応して切込部１３を設けるようにしたので、第一商品Ｐ１及び第二商品Ｐ２（二つの包装対象物）を収容しても見栄えの良い状態で維持することができ、複数の商品を一セットにして販売する場合や、試供品として提供する場合等において最適である。
【００４４】
尚、本発明の包装用ケースは、上記実施形態に限定されるものではなく、本発明の要旨を逸脱しない範囲内において種々変更を加え得ることは勿論である。
【００４５】
上記実施形態において、断面形状が略楕円形状をなし、該断面形状が軸線方向において略一定の第二商品Ｐを包装用ケース１に収容し、該第二商品Ｐの大径部分Ｌｐに対応してシート壁１０ａに切込部１３を設けるようにしたが、包装用ケース１に収容される包装対象物はこれに限定されるものではなく、例えば、軸線方向において少なくとも一部に大径部分Ｌｐを有して瓢箪型をなすようなものや、シート壁１００ａ，１００ｂの間隔とは逆に下部側に先細りしたようなもの、断面形状が軸線方向において略一定のボトル等であってもよい。即ち、本発明の包装用ケースは、包装対象物の配置領域内におけるシート壁１０ａ，１０ｂ間の間隔よりも大きな部分（大径部分Ｌｐ）を少なくとも一部に有する包装対象物を収容する場合に、上記実施形態と同様の作用効果を奏し得る。
【００４６】
上記実施形態において、二つの包装対象物（第一商品Ｐ１及び第二商品Ｐ２）を収容できるように構成したが、これに限定されるものではなく、包装用ケース１は、包装対象物を一つ以上収容できるものであればよい。但し、包装対象物を複数収容できる場合には、少なくとも包装対象物の一つがシート壁１０ａ，１０ｂ間の間隔よりも大きな大径部分Ｌｐを少なくとも一部に有するものを含んでいることは勿論のことである。従って、大径部分を複数箇所に有する包装対象物を収容する場合や、大径部分を有する包装対象物を複数収容する場合においては、それらを収容した状態を前提にして、各大径部分の配置に対応して複数箇所に切込部１３を設けて舌片１４を適宜形成するようにすればよい。
【００４７】
上記実施形態において、切込部１３を包装対象物（第二商品：ボトル）Ｐ２の大径部分Ｌｐ（上部）の形状に即して形成するようにしたが、これに限定されるものではなく、包装対象物の大径部分と対向（対応）する領域を少なくとも含むようにシート壁１０ａに切込部１３を設けるようにすればよい。また、切込部１３は円弧状のもの限定されるものではなく、例えば、コの字やΛ状のもの等であってもよい。但し、大径部分に対応する領域を含むように形成することは言うまでもない。
【００４８】
また、上記実施形態において、第二商品Ｐ２（ボトル）の断面よりも大径の蓋を備えた第一商品Ｐを収納するようにしたため、底片１１が包装用ケース１の一側端Ｅｓ側ほど幅広となるように形成したが、これに限定されるものではなく、底片１１は、収容される包装対象物の外径に対応して形状設定するようにすればよい。
【００４９】
上記実施形態において、一方のシート壁１０ａのみに切込部１３を設けて舌片１４を形成するようにしたが、これに限定されるものではなく、一方のシート壁１０ａの切込部１３及び舌片１４に加え、他方のシート壁１０ｂにも切込部１３を設けて舌片１４を形成するようにしてもよい。この場合においても、包装対象物の大径部分に対向する領域を上端Ｅｕ側から取り囲むように形成すればよい。
【００５０】
上記実施形態において、底片１１を開閉するように構成したが、これに限定されるものではなく、例えば、図５に示す如く、一方のシート壁１０ａの上端に上記実施形態に係る折曲片２０及び固定片２１を設ける共に、他方のシート壁１０ｂの上端Ｅｕ部に差込用切込部２３を設け、底片１１をシート壁１０ａ，１０ｂに貼着片２４を介して接続した構成であってもよい。このようにすれば、包装対象物を包装用ケース１の上端開口から収容することになるが、切込部１３を設けて舌片１４を形成することで、シート壁１０ａ，１０ｂの上端Ｅｕ側に無理な引っ張り作用が生じないので、折曲片２０及び固定片２１を介して一対のシート壁１０ａ，１０ｂの上端Ｅｕを間接的に接続しても、他方のシート壁１０ｂに固定された折曲片２０と一方のシート壁１０ａとの境界に真っ直ぐな稜線を形成することができ、上記実施形態と同様の作用効果を奏する。但し、この場合においては、上端開口を閉塞した状態で、包装用ケース１の前面となる一方のシート壁１０ａ側に折曲片２０や固定片２１が位置しないように設けることは勿論のことである。
【００５１】
上記実施形態において、シート壁１０ａに切込部１３設けて舌片１４を形成し、包装対象物Ｐ２が大径部分Ｌｐを有していても、シート壁１０ａ，１０ｂが押し広げられないように構成したが、これに限定されるものではなく、例えば、図６（イ）に示す如く、シート壁１０ａ，１０ｂの何れにも切込部及び舌片を設けないような態様であってもよい。このようにしても、シート壁１０ａ，１０ｂの上端Ｅｕ及び両側端Ｅｓ，Ｅｓ同士が接続されているので、当該包装用ケース１の上端Ｅｕ及び両側端Ｅｓ，Ｅｓに稜線が形成され、見栄えのよいものとなる。但し、この場合においては、包装対象物を収容した状態でシート壁１０ａ，１０ｂが押し広げられないように、シート壁１０ａ，１０ｂ間の空間よりも小さな包装対象物Ｐ２や、上記実施形態のチューブ入り商品のように収容状態での上端側が先細りした包装対象物Ｐ１を収容することになる。
【００５２】
さらに、上記実施形態の如く、大径部分Ｌｐを有する包装対象物Ｐ２を収容する場合、図６（ロ）に示す如く、シート壁１０ａ，１０ｂの少なくとも何れか一方における包装対象物Ｐ２の大径部分Ｌｐと対向する領域に開口１００を形成するようにしてもよい。このようにすれば、収容した大径部分Ｌｐが開口１００に入り込むことになり、シート壁１０ａ，１０ｂが無理に押し広げられることがなく、上端Ｅｕ及び両側端Ｅｓ，Ｅｓの直線性を確保した状態で維持することができる。この場合においても、大径部分を二つ以上有する包装対象物を収容する場合や、包装対象物が二つ以上収容されてシート壁１０ａ，１０ｂ間に対する大径部分が複数存在する場合には、各大径部分の配置に対応して適宜箇所に開口を形成すればよい。そして、かかる開口は、大径部分に対応したサイズ及び形状に形成すれば、必要以上に大きなものとならず、開口を介して露呈する大径部分が開口にきっちりと嵌り込んで見た目良好な状態にすることができる。また、前記開口１００に代えて、一又は複数のスリットを大径部分Ｌｐに対応する領域に該大径部分Ｌｐの上方に対応させて形成しても同様の作用を奏する。
【産業上の利用可能性】
【００５３】
本発明に係る包装用ケースは、洗剤や化粧品をはじめとする種々の商品を包装する包装材として採用することができる。
【図面の簡単な説明】
【００５４】
【図１】本発明の一実施形態に係る包装用ケースの全体斜視図であって、（イ）は、陳列時に正面となる前面側から見た斜視図を示し、（ロ）は、陳列時に背面となる後面側から見た斜視図を示す。
【図２】同実施形態に係る包装用ケースを作製するための原シート（包装用ケースの展開図）を示す。
【図３】同実施形態に係る包装用ケースの製作工程を説明するための図であって、（イ）は、原シートのシート壁形成領域同士を折り返した状態を示し、（ロ）は、貼着片形成領域を折り曲げて他方のシート壁形成領域に貼着した状態を示し、（ハ）は、シート壁（シート壁形成領域）間に包装対象物（第一商品及び第二商品）を挿入した状態を示す。
【図４】図３（ハ）のＩ−Ｉ断面であって、包装対象物（第二商品）を収容する際の舌片の状態を説明するための説明図を示す。
【図５】本発明の他実施形態に係る包装用ケースの全体斜視図であって、（イ）は、陳列時に正面となる前面側から見た斜視図を示し、（ロ）は、陳列時に背面となる後面側から見た斜視図を示す。
【図６】本発明の別の実施形態に係る包装用ケースの斜視図であって、（イ）は、切込部及び舌片が設けられていないものを示し、（ロ）は、包装対象物の大径部分と対向する領域に開口が形成されたものを示す。
【符号の説明】
【００５５】
１…包装用ケース、１０ａ，１０ｂ…シート壁、１１…底片、１２，２４…貼着片、１３…切込部、１４…舌片、１５，２３…差込用切込部、１６，２０…折曲片、１７，２１…固定片、１７ａ…延出部、１７ｂ…差込部、５０ａ，５０ｂ…シート壁形成領域、５１…底片形成領域、５２…貼着片形成領域、５３…折曲片形成領域、５４…固定片形成領域、５４ａ…延出部形成領域、５４ｂ…差込部形成領域、Ｅｕ…上端、Ｅｓ…側端、Ｌ１…第一罫線（折曲罫線）、Ｌ２…第二罫線（折曲罫線）、Ｌ３…第三罫線（折曲罫線）、Ｌ４…第四罫線（折曲罫線）、Ｌｐ…大径部分（上部）、（折曲罫線）、Ｐ１…第一商品（包装対象物）、Ｐ２…第二商品（包装対象物）、Ｓ…原シート
【図１】
2008189390.tif 000003
【図２】
2008189390.tif 000004
【図３】
2008189390.tif 000005
【図４】
2008189390.tif 000006
【図５】
2008189390.tif 000007
【図６】
2008189390.tif 000008